(57)【要約】【課題】簡単な構成で、しかも効率よく、部屋内部と屋根裏の換気を行うことのできる空調装置を提供する。【解決手段】建物１内部に空調装置本体３が設けられ、空調装置本体３の側面には、洗面所７に連通するダクト４と、トイレ８に連通するダクト５と、屋根裏に連通するダクト１５とが設けられている。また空調装置本体３の底面には浴室２に連通する開口部が形成されている。そして、空調装置本体３はファンを備え、このファンを回転駆動させることにより、浴室２、洗面所７、トイレ８および居室１６の空気を建物１の外へ排気して、建物１内の各部屋の換気を行う。【選択図】        図１
2004301447.tif 000002
【特許請求の範囲】
【請求項１】
建物内部に空調装置本体が設けられ、該空調装置本体は、前記建物の天井裏および部屋内部にそれぞれ連通する複数の吸気口を有するとともに内部にファンが設けられ、
前記空調装置本体は、前記ファンを回転駆動させることにより、前記天井裏の空気および前記部屋内部の空気を前記建物の外へ排気することを特徴とする空調装置。
【請求項２】
請求項１に記載の空調装置において、
前記複数の吸気口のうち、前記天井裏に連通した吸気口に開閉手段を備えたことを特徴とする空調装置。
【請求項３】
請求項１に記載の空調装置において、
前記複数の吸気口のうち前記部屋内部に連通した吸気口には、当該部屋内部との間に空気流路が設けられ、この空気流路は前記天井裏に連通した開口部を有することを特徴とする空調装置。
【請求項４】
請求項３に記載の空調装置において、
前記開口部に開閉手段を備えたことを特徴とする空調装置。
【発明の詳細な説明】
【０００１】
【発明の属する技術分野】
本発明は、浴室等の室内の天井部または壁部に設定され、建物内の換気を行う換気機能を有する換気装置等の空調装置に関する。
【０００２】
【従来の技術】
近年、新築住宅や新規家具等においては、カーペット、フローリング、クロス等の建材から、人体にとって有害なホルムアルデヒドや揮発有機化合物等の有害物質が空気中に発散し、問題となっている。これらの有害物質は、部屋内部の建材だけでなく天井裏の建材からも発散するため、部屋内部および天井裏の換気を充分に行って、空気中の有害物質の濃度を低く抑える必要がある。
【０００３】
従来より、図７および図８に示すように、建物１内の浴室２の天井に空調装置本体３を設置して、空調装置本体３に取り付けられたダクト４，５，６を洗面所７、トイレ８および外気中にそれぞれ連通させた空調装置が知られている。空調装置本体３の底面には開口部９が設けられ、この開口部９を介して空調装置本体３と浴室２とは連通している。そして、空調装置本体３内部に設けられたファン（図示省略）を駆動させることにより、浴室２内、洗面所７内およびトイレ８内において空気を図の矢印のように吸い込んで、さらに建物１から外へ排気して、各部屋内部の換気を行うようになっている。
【０００４】
また、建物１の屋根１０（または屋根裏１１）に空調装置本体３とは別個に換気扇１２を設け、この換気扇１２を回転駆動させることにより、屋根裏１１内の空気を図の矢印のように外部に排気して、屋根裏１１の換気を行うようにした空調装置が提案されている（例えば、特許文献１参照）。
【０００５】
【特許文献１】
特開平１１−８３１０８号公報
【０００６】
【発明が解決しようとする課題】
しかしながら、上記従来の技術では、屋根裏に空調装置本体および換気扇を設置しなければならないため、設置作業に手間が掛かるとともに、換気機能を備えた装置を二重に設置することになり無駄なことである。
【０００７】
また、空調装置本体の換気能力が換気扇の換気能力よりも高いと、空調装置本体と換気扇を同時に駆動させた場合、部屋内部の方が屋根裏内部よりも圧力が低くなり、部屋内部と屋根裏内部との間に圧力差が生じる。このような圧力差が生じると、屋根裏の空気が部屋内部に流入し、空調装置本体による換気の効果が薄れてしまう。
【０００８】
本発明の課題は、簡単な構成で、しかも効率よく、部屋内部と屋根裏の換気を行うことのできる空調装置を提供することにある。
【０００９】
【課題を解決するための手段】
上記課題を解決するために、請求項１に記載の発明は、建物内部に空調装置本体が設けられ、該空調装置本体は、前記建物の天井裏および部屋内部にそれぞれ連通する複数の吸気口を有するとともに内部にファンが設けられ、前記空調装置本体は、前記ファンを回転駆動させることにより、前記天井裏の空気および前記部屋内部の空気を前記建物の外へ排気することを特徴としている。
【００１０】
上記構成によれば、空調装置本体のファンを回転駆動させることによって、部屋内部の換気は勿論、屋根裏の換気も同時に行うことができるため、屋根裏に換気扇を別個に設置する必要がない。また、空調装置本体のみで部屋内部と屋根裏の換気を行う構成であるから、空調装置本体のファンの回転を適正に制御することによって、部屋内部と屋根裏内部の圧力を同等に維持できるので、屋根裏の空気が部屋内部に流入するのを防ぐことができる。
【００１１】
請求項２に記載の発明は、請求項１において、前記複数の吸気口のうち、前記天井裏に連通した吸気口に開閉手段を備えたことを特徴としている。
【００１２】
ファンが停止しているときは、浴室や洗面所の湿気、トイレの臭い等が空調装置本体を介して天井裏に流れ、更に天井裏から居室内に流れ込む恐れがあるが、上記のように、天井裏に連通した吸気口に開閉手段を設けておけば、ファンの回転が停止しているときに開閉手段を閉じることにより、浴室や洗面所の湿気、トイレの臭い等が居室内に流れ込むのを防ぐことができる。
【００１３】
請求項３に記載の発明は、請求項１において、前記複数の吸気口のうち前記部屋内部に連通した吸気口には、当該部屋内部との間に空気流路が設けられ、この空気流路は前記天井裏に連通した開口部を有することを特徴としている。
【００１４】
通常、吸気口と部屋内部とは天井裏の空気流路によって接続されており、このダクトに開口部を設ければ、天井裏の換気を容易に行うことができる。
【００１５】
請求項４に記載の発明は、請求項３において、前記開口部に開閉手段を備えたことを特徴としている。
【００１６】
天井裏には埃が蓄積されていることが多いため、ファンが停止していると天井裏の埃が居室内に流れ込む恐れがあるが、開口部に開閉手段を設けておけば、ファンの回転が停止しているときに開閉手段を閉じることにより、天井裏の埃が居室内に流れ込むのを防ぐことができる。
【００１７】
【発明の実施の形態】
以下、本発明の実施の形態を図面に従って説明する。
（実施の形態１）
図１は本発明に係る空調装置の概略構成図である。図に示すように、本空調装置においても、建物１内の浴室２の天井に空調装置本体３が設けられている。空調装置本体３には空気流路としてダクト４，５，６が取り付けられ、ダクト４は洗面所７に、ダクト５はトイレ８に、ダクト６は建物１外部の外気中にそれぞれ連通されている。空調装置本体３の底面には吸気口として開口部９（図２参照）が設けられ、この開口部９を介して空調装置本体３と浴室２とは連通している。
【００１８】
また、本実施の形態では、空調装置本体３にダクト１５が設けられ、このダクト１５は建物１の天井裏１１（図５参照）に連通している。
【００１９】
そして、空調装置本体３内部に設けられたファン（図示省略）を駆動させることにより、空調装置本体３は、浴室２内、洗面所７内、トイレ８内および屋根裏１１の空気を図の矢印のように吸引し、さらに建物１から外へ排気して、浴室２、洗面所７、トイレ８、および天井裏１１等の換気を行う。
【００２０】
通常、洗面所７と居室１６との間にはドアが設けられており、このドア下部に隙間を設けておけば、洗面所７が換気されることにより、居室１６の空気が前記隙間を通って洗面所７に流入するので、居室１６の換気を行うことができる。また、トイレ８と居室１６との間にもドアが設けられており、このドア下部に隙間を設けておけば、トイレ８が換気されることにより、居室１６の空気が前記隙間を通ってトイレ８に流入するので、同様に居室１６の換気を行うことができる。
【００２１】
次に、空調装置本体３の詳細構成について説明する。
図２〜図４は、空調装置本体３の主要構成を示した縦断面図である。空調装置本体３は外側を覆う本体ケース２１を有し、この本体ケース２１は下部が開口された箱形をなし、下端周縁のフランジ部２１Ａが浴室２の天井２２に取り付けられている。
【００２２】
本体ケース２１は上部ユニット２３と下部ユニット２４の上下二段に分割されている。下部ユニット２４にはファンケース２５が設けられ、このファンケース２５の一側には吸込口２６が、他側には吹出口２７がそれぞれ形成され、また吸込口２６と吹出口２７と間は循環風路２８となっている。ファンケース２５の内部には、吸込口２６の上方に循環ファン２９が配設されている。循環ファン２９は円筒形状をなした遠心型ファンであり、下部ユニット２４に取り付けられたモータ３０によって回転駆動される。なお、モータ３０はファンケース２５に取り付けられていてもよい。
【００２３】
下部ユニット２４内には、ファンケース２５の外側に風路３１が設けられ、風路３１の下部は浴室２内に開口した開口部９に連通している。風路３１の上部は、上部ユニット２３と下部ユニット２４との間の隙間Ｓを介して、上部ユニット２３の吸引開口部３２に連通している。また、下部ユニット２４の吹出口２７にはＰＴＣ（Ｐｏｓｉｔｉｖｅ  Ｔｅｍｐｅｒａｔｕｒｅ  Ｃｏｅｆｆｉｃｉｅｎｔ）ヒータ３３が配設されている。なお、ＰＴＣヒータ３３の代わりに、入浴暖房モードを設けた際に輻射熱により入浴者を暖めることができるカーボンヒータを設けてもよい。また、輻射熱を発するヒータ（遠赤外線ヒータ）であれば、ハロゲンヒータ等の他のヒータでもよい。
【００２４】
上部ユニット２３にはファンケース３５が設けられ、ファンケース３５の下部に前記吸引開口部３２が形成されている。ファンケース３５内部には吸引開口部３２の上方に換気ファン３６が設けられ、この換気ファン３６は、上部ユニット２３に取り付けられたファンモータ３７により回転駆動される。
【００２５】
また、上部ユニット２３には、換気ファン３６から離れた側に排気口３８が形成され、この排気口３８はダクトジョイント３９を介してダクト６に接続されている。
【００２６】
本体ケース２１の側面には吸気口として３つの開口部４１，４２，４３が形成され、これら開口部４１，４２，４３は、それぞれダクトジョイント４４，４５，４６を介してダクト４，５，１５に接続されている。ここで、ダクト４は洗面所７内に、ダクト５はトイレ８内に、ダクト１５は屋根裏１１にそれぞれ連通している。開口部４１，４２，４３のうち、屋根裏１１に連通した開口部４３には、開口部４３の開閉を行う開閉手段としてのシャッタ４７が設けられている。シャッタ４７の開度は調整可能である。
【００２７】
次に、上記構成の浴室空調装置の動作について説明する。
この浴室空調装置には４つの運転モード（暖房モード、換気モード、乾燥モード、および涼風モード）が設けられている。
【００２８】
図示していない運転モード指令手段（リモートコントローラ）により、暖房モードが選択されると、モータ３０が駆動して循環ファン２９を回転させるとともに、ＰＴＣヒータ３３が通電されて、浴室２内の空気は矢印Ａのように下部ユニット２４の吸込口２６からファンケース２５内に吸い込まれる。吸い込まれた空気は、循環風路２８を通過した後に、矢印Ｂのように流れてＰＴＣヒータ３３で加熱され、吹出口２７から温風として浴室２に供給される。これにより、浴室２内を暖めることができる。
【００２９】
運転モード指令手段により、換気モードが選択されると、ファンモータ３７が駆動して換気ファン３６を回転させる。すると、浴室２の空気は矢印Ｃのように下部ユニット２４の開口部９から第１の風路３１内に吸い込まれ、矢印Ｄのように上部ユニット２３と下部ユニット２４間の隙間Ｓを通過した後、矢印Ｅのように上部ユニット２３の吸引開口部３２を介してファンケース３５に流入する。
【００３０】
また、洗面所７の空気はダクト４を介して開口部４１からファンケース３５に流入する。トイレ８の空気はダクト５を介して矢印Ｆのように開口部４２からファンケース３５に流入する。浴室２、洗面所７およびトイレ８以外の部屋の空気は、各部屋のドアに形成されたアンダーカットを介して、浴室２、洗面所７およびトイレ８に集められ、上記と同様にしてファンケース３５に流入する。
【００３１】
さらに、天井裏１１の空気は、ダクト１５を介して開口部４３からファンケース３５に流入する（図１参照）。
【００３２】
そして、ファンケース３５に流入した空気は、ファンケース３５内を矢印Ｇのように流れて、矢印Ｈのように排気口３８からダクト６を介して外気中に放出される。これにより、建物１全体の換気を行うことができる。
【００３３】
運転モード指令手段により、乾燥モードが選択されると、循環ファン２９と換気ファン３６とが回転駆動され、ＰＴＣヒータ３３で暖められた空気が浴室２内に供給されるとともに、一部の湿った空気が建物１の外へ排出される。これにより、浴室２内を乾燥室として利用できる。
【００３４】
運転モード指令手段により、涼風モードが選択されると、ＰＴＣヒータ３３には通電されないで、循環ファン２９が回転駆動される。これによって、浴室２内には涼風が送られるため、涼しく入浴できる。その際に、換気ファン３６を回転駆動させて、一部の湿った空気を建物１の外へ排出するようにすると、より効果的である。
【００３５】
ところで、換気ファン３６が停止しているときは、洗面所７の湿気とトイレ８の臭気が屋根裏１１に流入し、屋根裏１１から居室１６に流れ込む恐れがある。そこで、本実施の形態では、換気ファン３６が停止しているときは、シャッタ４７を操作して開口部４３を閉じ、浴室の湿気、洗面所７の湿気、およびトイレ８の臭気が居室１６に流れ込むのを防ぐようにしている。なお、シャッタ４７は風圧で開閉するものでもよく、また電動式のものでもよい。また、同種のシャッタを開口部４１，４２に設けてもよい。
【００３６】
図示してないが、空調装置本体３には、モータ３０，３７の回転数の変更や、シャッタ４７の開度を制御することにより、浴室２、洗面所７、トイレ８で換気指令が出たときには、必要換気風量となるように制御する制御部が設けられている。また、図示していない操作手段で常時換気を行う２４時間換気スイッチを設け、これが選択されているときには、建物１全体が必要換気風量（例えば、建物全体の容積の０．５回／ｈｒ）になるように制御することができる。
【００３７】
また、各吸込口に設けられた電動ダンパの開度を調整し、換気対象エリア（建物全体、フロア全体）等で必要とされる換気風量または回数（０．５回／ｈｒ）を満たしつつ、天井裏１１と居室１６内の圧力を同等もしくは天井裏１１を居室１６内に対して負圧となるように制御することもできる。
【００３８】
これにより、天井裏１１を含めた建物１全体が必要としている換気を本空調装置で行うことができる。この各種換気風量の制御は、各種指令手段により、予め記憶された風量テーブルに基づき風量を制御するようにしてもよいし、圧力センサ等の検出手段を用いて、その検出結果より、適切な風量を算出する制御部を用いて行ってもよい。
【００３９】
本実施の形態によれば、換気ファン３６を回転駆動させることにより、建物１内の各部屋の換気と同時に、屋根裏１１の換気も行うことができるので、屋根裏１１に換気扇等を別個設置する必要が無く、無駄を排除できる。
【００４０】
また、一つの換気ファン３６によって各部屋（浴室２、洗面所７、トイレ８、居室１６等）と屋根裏１１の換気を行うため、部屋内部と屋根裏１１内部の圧力を同等に維持でき、屋根裏１１の空気が居室１６等に流入するのを防ぐことができる。その結果、換気効率が向上する。
【００４１】
なお、空調装置本体３を浴室２の代わりに洗面所７やトイレ８に設置してもよい。空調装置本体３は、通常、人があまりいない部屋に設置するのが望ましい。
【００４２】
本実施の形態では、空調装置本体３が浴室乾燥換気の機能を有し、換気ファン３６と循環ファン２９を用いる構成としたが、単一のファンでダンパを用いて、換気風路と循環風路とを切り替えるような構成でもよい。
【００４３】
また、本実施の形態では、天井裏１１の換気に加えて、浴室２、洗面所７およびトイレ８も換気する多室空調装置としたが、浴室２のみ等の単一の室内換気を行う空調装置でもよい。
【００４４】
また、空調装置本体３ではなく、多室の換気を行う中間ダクトファンでもよい。つまり、天井裏１１専用の換気扇ではない空調装置を用いて、天井裏１１と各室内の換気ができるようになっていればよい。
【００４５】
（実施の形態２）
図５および図６は実施の形態２を示している。本実施の形態では、空調装置本体３とトイレ８内部とを連通する、空気流路としてのダクト５に短管５０が設けられ、この短管５０を介して天井裏１１の空気をダクト５内に吸い込むようになっている。
【００４６】
トイレ８の天井２２には、図６に示すように、取付穴５１が形成され、この取付穴５１に樹脂製の吸込グリル５２が取り付けられている。吸込グリル５２は、下部がラッパ状に拡径した吸込管５３と、吸込管５３の底面に設けられた略正方形のグリルパネル５４とを備えている。図示してないが、吸込管５３の底面とグリルパネル５４との間には隙間が形成されており、トイレ８内の空気は図の矢印のように前記隙間を通して吸込管５３内に吸い込まれる。短管５０は吸込管５３の外周面に設けられている。
【００４７】
吸込管５３の上端部にはダクト本体５Ａが嵌合され、その嵌合部付近では吸込管５３外周とダクト本体５Ａ外周にアルミテープ５５が巻き付けられている。これによって、ダクト本体５Ａを吸込グリル５２に強固に連結することができ、さらにダクト５の内部を天井裏１１から遮蔽することが可能となっている。
【００４８】
上記構成において、トイレ８内の換気を行うと、ダクト５内を流れる空気流に吸引されて、天井裏１１の空気は図の矢印のように短管５０を通ってダクト５内に流入する。これにより、トイレ８内部と天井裏１１の換気を行うことができる。
【００４９】
また、短管５０の基部５０Ａ付近に開閉手段としてダンパ５６を設けてもよい。換気ファン３６（図２参照）が停止しているときは、天井裏１１の埃等が短管５０を介してトイレ８内に流れ込む恐れがあるが、ダンパ５６を設けておけば、換気ファン３６の停止時にダンパ５６を閉じて、ダンパ５内部と天井裏１１と遮蔽することができ、これによって、天井裏１１の埃等がトイレ８内に流れ込むのを防ぐことができる。なお、ダンパ５６は風圧で開閉するものでもよく、また電動式のものでもよい。
【００５０】
本実施の形態では、トイレ８に接続されたダクト５に短管５０を設けたが、洗面所７に接続されたダクト４に短管５０を設けてもよく、また、洗面所７やトイレ８以外に部屋に接続されたダクトに短管５０を設けてもよい。
【００５１】
上記実施の形態１および実施の形態２において、空調装置とは、換気機能を有しているものに限定されるものではなく、換気機能の他に、暖房、乾燥、涼風等の機能を有する空調装置であってもよく、換気機能を有するものすべてを空調装置としている。
【００５２】
【発明の効果】
以上説明したように、本発明によれば、空調装置本体のファンを回転駆動させるだけで、各部屋内部と屋根裏の換気を同時に行うことが可能となり、簡単な構成の空調装置を得ることができる。
【００５３】
また、空調装置本体のみで部屋内部と屋根裏の換気が可能となるため、部屋内部と屋根裏内部の圧力が同等に維持され、屋根裏の空気が部屋内部に流入するのを防ぐことができる。その結果、換気効率の高い空調装置を実現することができる。
【図面の簡単な説明】
【図１】実施の形態１による空調装置の概略構成図である。
【図２】空調装置本体の縦断面図である。
【図３】図２に示した空調装置本体の横断面図である。
【図４】図２に対して直角方向から見たときの空調装置本体の縦断面図である。
【図５】実施の形態２による空調装置の概略構成図である。
【図６】短管が設けられた吸込グリルの構成図である。
【図７】従来技術による空調装置の概略構成図である。
【図８】従来技術による空調装置の概略構成図である。
【符号の説明】
１  建物
２  浴室
３  空調装置本体
４，５，６，１５  ダクト
７  洗面所
８  トイレ
９，４１，４２，４３  開口部
１６  居室
２３  上部ユニット
２４  下部ユニット
２９  循環ファン
３０，３７  ファンモータ
３３  ＰＴＣヒータ
３６  換気ファン
３８  排気口
４７  シャッタ（開閉手段）
５０  短管
５２  吸込グリル
５５  アルミテープ
５６  ダンパ（開閉手段）
【図１】
2004301447.tif 000003
【図２】
2004301447.tif 000004
【図３】
2004301447.tif 000005
【図４】
2004301447.tif 000006
【図５】
2004301447.tif 000007
【図６】
2004301447.tif 000008
【図７】
2004301447.tif 000009
【図８】
2004301447.tif 000010